(57)【要約】【課題】  料金式自動精米設備において、精米残時間の把握を容易にし、精米終了間際の玄米の誤った追加投入を防止する。【解決手段】  料金式自動精米設備において、操作盤（８）の表示画面（２１）に精米残時間を減算しながら表示し、全利用料金に対応する精米運転時間が終了すると、機械室（３）の作業部に残留している玄米を精米処理して排出する終了動作工程に移行し、終了動作工程に移行すると、表示画面（２１）に玄米投入不可の表示をするコントローラを設ける。【選択図】図８
2011072960.tif 000002
【特許請求の範囲】
【請求項１】
投入した玄米を精米処理する精米機（１５）と、操作盤（８）とを設ける料金式自動精米設備において、操作盤（８）の表示画面（２１）に精米運転残時間を減算しながら表示し、全利用料金に対応する精米運転時間が終了すると、精米機（１５）に残留している玄米を精米処理して排出する終了動作工程に移行し、該終了動作工程に移行すると、表示画面（２１）に玄米投入不可の表示をするコントローラを設けたことを特徴とする自動精米設備の表示装置とする。
【請求項２】
請求項１の発明において、終了動作工程に移行すると、表示画面（２１）における精米残時間の減算表示から玄米投入不可の表示に切り換えるコントローラを設けたことを特徴とする自動精米設備の表示装置。
【請求項３】
請求項１の発明又は請求項２の発明において、無洗米精米の場合には、玄米量に対する利用料金に無洗米精米の特別料金を加算した料金体系とし、無洗米精米の精米残時間を表示画面（２１）に表示するにあたり、無洗米精米の特別料金を除外した玄米量に対する利用料金に対応した精米運転残時間を表示するコントローラを設けたことを特徴とする自動精米設備の表示装置。
【発明の詳細な説明】
【技術分野】
【０００１】
本発明は、料金式自動精米設備の表示装置に関する。
【背景技術】
【０００２】
自動精米設備において、操作室に面した操作板には、コインメックに投入されたコインの枚数あるいは金額を表示する投入コイン表示手段が設けられていて、精米作業が開始されると、投入コイン表示手段のコイン枚数を所定時間毎に減算表示し、コイン枚数が０になると、終了作動ランプを点灯し、所定時間後に精米機の運転を終了し、コイン枚数表示灯を消灯するものは、公知である（特許文献１）。
【先行技術文献】
【特許文献】
【０００３】
【特許文献１】特許第３７９１４８８号公報
【発明の概要】
【発明が解決しようとする課題】
【０００４】
本発明は、料金式自動精米設備において、精米運転残時間が実際にどの程度なのかを把握し易くし、また、全投入利用料金に対応する精米時間が終了した精米終了間際の精米処理時において、玄米を誤って追加投入しないようにし、自動精米を円滑に行なおうとするものである。
【課題を解決するための手段】
【０００５】
請求項１の発明は、投入した玄米を精米処理する精米機（１５）と、操作盤（８）とを設ける料金式自動精米設備において、操作盤（８）の表示画面（２１）に精米運転残時間を減算しながら表示し、全利用料金に対応する精米運転時間が終了すると、精米機（１５）に残留している玄米を精米処理して排出する終了動作に移行し、該終了動作に移行すると、表示画面（２１）に玄米投入不可の表示をするコントローラを設けたことを特徴とする自動精米設備の表示装置とする。
【０００６】
請求項２の発明は、請求項１の発明において、終了動作に移行すると、表示画面（２１）における精米残時間の減算表示から玄米投入不可の表示に切り換えるコントローラを設けたことを特徴とする自動精米設備の表示装置とする。
【０００７】
請求項３の発明は、請求項１の発明又は請求項２の発明において、無洗米精米の場合には、玄米量に対する利用料金に無洗米精米の特別料金を加算した料金体系とし、無洗米精米の精米残時間を表示画面（２１）に表示するにあたり、無洗米精米の特別料金を除外した玄米量に対する利用料金に対応した精米運転残時間を表示するコントローラを設けたことを特徴とする自動精米設備の表示装置とする。
【発明の効果】
【０００８】
請求項１の発明は、利用者は投入利用料金に対する精米運転残時間を把握することができ、また、精米終了動作への移行後は玄米投入ができないことを表示するので、誤った玄米の追加投入を防止することができる。
【０００９】
請求項２の発明は、請求項１の発明の前記効果に加えて、利用者に終了動作への移行を分かりやすく伝え、誤った玄米の追加投入を防止することができる。
請求項３の発明は、請求項１の発明又は請求項２の発明の前記効果に加えて、無洗米精米の場合にも実際の精米運転残時間を表示することができる。
【図面の簡単な説明】
【００１０】
【図１】料金式精米設備の工程図。
【図２】料金式精米設備の平面図。
【図３】料金式精米設備の側面図。
【図４】料金式精米設備の操作室側から見た正面図。
【図５】フローチャート。
【図６】原料投入ホッパの斜視図
【図７】操作盤の操作部分の正面図。
【図８】表示画面の正面図。
【図９】表示画面の正面図。
【図１０】精米機及び白米取出タンクの側面図。
【図１１】原料投入ホッパの側面図。
【図１２】原料投入ホッパの側面図。
【図１３】フローチャート。
【図１４】玄米タンクの側面図。
【図１５】玄米タンクの側面図。
【図１６】玄米タンクの側面図。
【図１７】白米取出タンクのシャッタ弁の側面図、正面図。
【図１８】操作盤のコインメック部の正面図。
【発明を実施するための最良の形態】
【００１１】
以下本発明の実施例を図面に基づき説明する。
まず、図１〜図４に基づき本発明を備えた料金式自動精米設備の全体構成について説明する。
【００１２】
料金式自動精米設備は、図２に示すように、建屋１内を操作室２と機械室３とに仕切り壁４により仕切り、操作室２側に面して原料投入ホッパ５、操作盤８及び白米取出タンク７を設けている。また、機械室３側には、第１昇降機１１、石抜き機１２、第２昇降機１３、玄米タンク１４及び精米機１５等を設けている。そして、操作盤８に内蔵しているコントローラＣの指令により、原料投入ホッパ５に投入された玄米を順次繰り出し第一昇降機１１で移送して石抜き機１２で石抜きし、第二昇降機１３で移送して精米機１５で精米処理し、白米取出タンク７に白米を取り出す自動精米をするように構成している。
【００１３】
なお、図６に示すように、原料投入ホッパ５の投入口には開閉扉２６を設け、開閉扉２６には、自動精米設備が正常な運転可能状態のときには、「営業中」と点灯表示し、故障のときには、「故障中」と表示するようにしている。また、図７（Ａ）に示すように、操作盤８の料金投入部８ａに「料金投入」と表示し、コインメック１６を設け、紙幣投入口１６ａ、返却レバー１６ｂ、コイン投入口１６ｃ、料金表示部１６ｄ、釣銭切れランプ１６ｅを設けている。また、図７（Ｂ）に示すように、操作盤８の白度選択部８ｂには、精米コース選択設定用の上白ボタン８ｃ、標準ボタン８ｄ、８分ボタン８ｅ、無洗米コースの無洗米ボタン８ｆを設けている。
【００１４】
精米機１５には、図示省略したが、玄米検出センサ付きの玄米タンク１４を設け、搗精室内に搗精ロールを配設し、搗精室の排出口には精白度調節用の圧迫板を設け、搗精室の搗精網から漏過した糠を糠排出ファンにより糠処理部に送る高知の構成としている。また、搗精ロールを精米モータで駆動し、圧迫板を圧迫板調節モータで調節するように構成している。
【００１５】
次に、図５に基づき料金式自動精米設備の精米制御内容について説明する。
利用者がコイン投入口１６ｃに利用料金を投入すると（ステップＳ１）、玄米タンク１４の照明が点灯し（ステップＳ２）、利用者は玄米タンク１４内に前の利用者の残粒玄米が無いかを確認して、原料投入ホッパ５に玄米を投入し（ステップＳ３）、白度選択部８ｂのボタンを押し精白度を選択する（ステップＳ４）。すると、繰出バルブ９が駆動を開始し原料投入ホッパ５の玄米が取り込まれ（ステップＳ５）、自動精米設備の駆動各部が起動され、精米作業を開始する（ステップＳ６）。次いで、投入した料金によって運転時間が設定されており、精米運転の進行に従って操作盤８の液晶表示画面２１に精米運転残時間が減算しながら順次表示される（ステップＳ７）。
【００１６】
次いで、利用料金に対応した精米運転時間が経過したか否かを判定し（ステップＳ８）、精米運転時間が終了すると、前記利用時間の減算表示を終了し（ステップＳ９）、繰出バルブ９の駆動を停止し、終了動作に移行する（ステップＳ１０）。終了動作では第一昇降機１１、石抜機１２、第二昇降機１３が順次停止し、精米機で残りの玄米の精米処理がなされ、設定時間経過すると精米機１５が停止して自動精米設備の駆動各部を停止し精米運転を終了する（ステップＳ１１）。そして、操作室２に利用者のいないことを検出すると（ステップＳ１２）、玄米タンク１４の照明を消灯する（ステップＳ１３）。
【００１７】
次に、図８及び図９に基づき精米運転残時間の減算表示について説明する。
操作盤８には液晶表示画面２１を設け、利用者が白度選択を行い自動精米システムを起動すると、液晶表示画面２１には投入料金に応じてコントローラの指令により、図８に示すように、例えば、次のような表示がなされる。すなわち、精白度が高い順に白から黒に順次変色している横線２１ａ上を設定した精白度に対応するマークｍを点灯し、利用者の注意を喚起し、例えば、「上白で精米中です」と表示し、時間表示線２１ｂを順次短縮表示しながら利用可能時間は…秒」と設定秒数単位（例えば一秒単位）で減算表示する。
【００１８】
そして、投入料金に対応する運転時間が経過すると精米終了作動に移行する。すると、液晶表示画面２１の表示が例えば図９に示すようになされる。すなわち、「終了作動に移行しなした。お米の追加投入はできません。」と表示し、運転残時間表示をしないようにする。
【００１９】
また、無洗米精米の残時間表示は次のとおりである。無洗米精米の利用料金は、玄米量に対する利用料金（例えば１０Ｋｇ／分に対して１００円）と、無洗米の特別料金（例えば百円）を加算した料金体系としている。そして、無洗米精米の精米残時間を表示画面２１に表示するにあたり、玄米量に対する投入利用料金に対応した精米運転残時間を減算しながら順次表示し、無洗米の特別料金を除外している。しかして、無洗米精米の場合にも実際の精米運転残時間を表示することができる。
【００２０】
前記構成によると、利用者に対し投入料金に応じた運転残時間を表示するので、利用者は精米運転状態を把握しながら安心した利用が可能となる。また、終了動作への移行後は残時間表示の表示を停止し、玄米投入のできないことを表示するので、利用者の誤った玄米投入を未然に防止することができる。
【００２１】
なお、終了動作に移行する条件として、前述の運転時間の終了以外に原料投入ホッパ５の下部に設ける玄米有無検出センサＳが玄米無しを選出してから所定時間後にしても良い。すなわち、運転残時間が途中でも終了動作に入ったことを表示することで、追加投入して精米処理できないで精米運転が終了するという不具合を防止できる。
【００２２】
すなわち、終了動作に移行したのに操作盤８の液晶表示画面２１に、運転時間表示が残ったままの状態であると、利用者はまだ玄米の投入が可能と思いやすく、玄米を投入することがあり、終了動作への移行後に玄米が投入されると、投入玄米が精米できないというトラブルが発生することを防止できる。
【００２３】
次に、図１０に基づき精米機１５の白米排出口部の構成について説明する。
精米機１５を白米取出側を下り傾斜状に配置し、精米機１５の排出口１５ａには精白度調節用の圧迫板２３を設け、圧迫板２３を圧迫板調節モータ（図示省略）により移動調節可能に構成し、排出口１５ａの下方には白米取出タンク７を設けている。また、精米機１５の排出口１５ａの下方には、排出口１５ａの大小に調節する圧迫板２３を設け、圧迫板２３を開閉調節モータ２５により開閉調節可能に構成している。この圧迫板２３をコントローラの指令により、精米機１５の排出口１５ａに圧迫板２３が密着している精米作業中には、排出口１５ａを大きく開口するように調節し、また、精米開始から初期精米までの間、精米作業終了時の白米排出時には、排出口１５ａを小さく開口するようにしている。
【００２４】
操作室２側より利用者が精米機１５の排出口１５ａに手を入れ、精米機１５の回転部に接触し、怪我をする怖れがある。怪我を防止するために精米機１５の排出口１５ａを小さくすると、糠の付着が多くなり、メンテナンスが必要となる。しかし、前記構成によると、このような不具合を解決し、利用者の安全を図ることができる。
【００２５】
次に、図１１について説明する。
自動精米施設の原料投入ホッパ５の米投入開口部５ａを上下方向移動しながら開閉する開閉扉２６を設け、開閉モータ（図示省略）により開閉扉２６を開閉するようにしている。原料投入ホッパ５の中間部には袋載置網２８を設け、原料投入ホッパ５の内部には持ち帰りボタン２７を設け、持ち帰りボタン２７をＯＮすると、コントローラの指令により、精米機１５から排出された米が第２昇降機１３を経て還元流路２９を経て原料投入ホッパ５に還元されると共に、開閉扉２６が開調節される構成である。
【００２６】
原料投入ホッパ５内に子供がいると、精米作業が終了し開閉扉２６が閉鎖されると、子供が中に閉じ込められてしまう不具合が発生する。前記構成によると、原料投入ホッパ５内に子供が閉じ込められても、持ち帰りボタン２７を押すことにより、開閉扉２６を開放し、子供を外へ出すことができて安全である。
【００２７】
次に、図１２について説明する。
自動精米施設の原料投入ホッパ５の米投入開口部５ａを上下方向移動しながら開閉する開閉扉２１を設け、開閉モータ（図示省略）により開閉扉２６を開閉するようにしている。原料投入ホッパ５の中間部に設けている袋載置網２８の例えば前側部を軸２８ａで軸支し、袋載置網２８上に穀粒袋などを置くと、バネ２８ｂに抗して袋載置網２８の後側部が重さにより下方に回動し、検出スイッチ３１をＯＮするように構成している。検出スイッチ３１のＯＮ情報がコントローラに入力されると、開閉扉２６の閉鎖出力が停止し、開調節するように構成している。
【００２８】
前記構成によると、原料投入ホッパ５に米以外のものが置かれていると、開閉扉２６を開放状態が維持されるので、利用者の忘れ物を防止することができる。
次に、図１３について説明する。
【００２９】
自動精米施設の操作盤８にはコントローラＣを内蔵し、投入料金を返金可能なコインメック１６を搭載している。利用者がコインメック１６に利用料金を投入すると、開閉扉２６を開放し、白度ボタンにより白度を設定し、精米利用を開始すると、初めて投入利用料金の返金が可能となり、利用者が返却レバー１６ｂを操作すると、釣銭が返却できるようにしている。また、精米開始後に利用者が所定時間以上にわたり持ち帰りボタン２７を操作した場合には、コントローラＣの指令によりコインメック１６から返金できるようにしている。
【００３０】
図１３に示すように、料金投入すると（ステップＳ２１）、開閉扉２６が開放され（ステップＳ２２）、次いで、利用者が精米利用を開始したか否かを判定する（ステップＳ２３）。精米利用を開始すると、返金可能状態となる（ステップＳ２４）。また、利用開始するまでは返金が禁止される（ステップＳ２５）。また、利用料金の返金禁止状態では、持ち帰りボタン２７が所定時間ＯＮされたか否かを判定し（ステップＳ２６）、Ｙｅｓであると、返金可能状態になり（ステップＳ２４）、Ｎｏであると、前記ステップＳ２３に戻る。
【００３１】
前記構成によると、原料投入ホッパ５への異物混入や、いたずらの抑制をすることができる。また、白米や籾の誤って投入した場合には、利用料金の返金が可能となり、利用者に損をさせないシステムを構築できる。
【００３２】
次に、自動精米施設における原料投入ホッパ５の玄米繰出制御について説明する。
原料投入ホッパ５の底部には定量排出用の繰出バルブ９を設けると共に、玄米の有無を出用の玄米有無検出センサＳを設け、コントローラの指令により、繰出バルブ９を単位利用料金毎に対応した単位繰出時間毎に駆動し、その後に玄米有無検出センサのＯＮ、ＯＦＦに関係なく、終了動作に移行しない繰出停止時間を設けている。
【００３３】
例えば、玄米の最初の精米利用単位例えば１０ｋｇを所定繰出時間で繰り出し、次いで、９０秒の停止時間を設け、その後に終了動作に移行する。終了動作に移行しない場合には、次の精米利用単位１０ｋｇを所定繰出時間にわたり繰り出し、次いで、６０秒の停止時間を設ける。次いで、次の精米利用単位１０ｋｇを所定繰出時間にわたり繰り出し、次いで、４０秒の停止時間を設け、停止時間を経過した後に玄米なしの場合に初めて精米作業の終了工程に移行する。
【００３４】
利用者の玄米投入の遅れや、玄米を途切れ途切れに投入した場合には、玄米の繰出時間終了後にすぐ精米終了動作に移行すると、全投入利用料金に対応する利用時間が終了していなし場合にも、精米作業を終了し、原料投入ホッパ５に投入玄米が残るという不具合があった。しかし、前記構成によると、利用者の待ち時間を少なくしながらこのような不具合を解消することができる。
【００３５】
次に、図１４に基づき精米機１５の玄米タンク１４の照明構成について説明する。
精米機１５の上部に設けた玄米タンク１４の内部に照明装置３６を設け、タンク内の玄米を照らすようにしている。玄米タンク１４内上部の操作室２側に偏位した部位に照明装置３６を配設し、玄米流下通路１４ａから流下した玄米がタンク内に溜る際に、安息角の傾斜上面の上方に位置させ、滞積玄米により照明装置３６が埋まらないようにしている。
【００３６】
そして、操作室２と機械室３とを仕切る仕切り壁４に確認窓３７を設け、玄米タンク１４下部の操作室２に近い側にタンク側窓部１４ｂを形成している。この確認窓３７と玄米タンク１４のタンク側窓部１４ｂとの間に確認用通路３８を設け、操作室２から確認窓３７、確認用通路３８、タンク側窓部１４ｂを通して玄米タンク１４内の玄米を見えるようにしている。
【００３７】
従来構成は、機械室３に蛍光灯を設け、その光を玄米タンク１４の上面の透過可能なアクリル板を通してタンク内に取込み、玄米の有無を確認していた。精米設備の使用を継続すると、アクリル板の上面に埃や糠が付着し、蛍光灯の光がタンク内に透過せず、タンク内の残留米が操作室２から見えなくなり、その都度メンテナンスをする必要であった。しかし、前記構成によると、玄米タンク１４のメンテナンスを必要とせず、玄米タンク１４内に溜った玄米を操作室２から容易に確認することができ、利用者は安心して精米終了の確認をすることができる。
【００３８】
また、照明装置３６の点灯制御を次のように行なっている。コントローラの指令により、操作室２内への利用者の入室を利用者検出センサ（図示省略）により検出すると、照明装置３６を点灯させたり、あるいは、利用者がコインメック１６に利用料金を投入したときに、点灯させたり、あるいは、利用者が利用料金を投入し、白度ボタン８ｃ，８ｄ，８ｅ，８ｆを選択し、自動精米システムを起動したときに、点灯させたり、あるいは、精米作業が終了してもすぐに照明装置３６を消灯せずに、利用者が操作室２から出たことを利用者検出センサが検出すると、消灯するようにしている。
【００３９】
このように構成すると、玄米タンク１４内の照明装置３６を必要な時に適時に点灯させることができ、自動精米設備の省エネ運転及びメンテナンス工数の削減を図ることができる。
【００４０】
また、玄米タンク１４の内部に照明装置３６を設けるにあたり、図１５に示すように構成してもよい。玄米タンク１４の上部の操作室２から遠い側に、玄米流下通路１４ａの下端部を臨ませ、玄米タンク１４内の操作室２から近い側の上部に照明装置３６を配置する。
【００４１】
しかして、玄米タンク１４の玄米流下位置から離れた位置に照明装置３６を配置することができ、玄米が多量に溜っても照明装置３６の埋没を防止し、利用者は玄米タンク１４内の玄米の確認を確実に行なうことができる。
【００４２】
また、玄米タンク１４の内部を照明するにあたり、図１６のように構成してもよい。仕切り壁４に確認窓３７を設け、玄米タンク１４下部の操作室２に近い側にタンク側窓部１４ｂを設ける。この確認窓３７とタンク側窓部１４ｂとの間を確認用通路３８で連通する。玄米タンク１４の下部外側における操作室２から近い位置に照明装置３６を配置し、ブラケット３８を介して照明装置３６を玄米タンク１４に取り付けている。
【００４３】
前記構成によると、玄米タンク１４のタンク側窓部１４ｂの近くに照明装置３６を設けたので、安価な照度の低い照明装置３６でも、玄米タンク１４内の玄米残留状態を正確に確認することができる。
【００４４】
次に、図１７に基づき白米取出タンク７の白米シャッタ弁４１について説明する。
白米取出タンク５の下部取出口には、白米シャッタ弁４１を左右方向の軸回りに回動自在に軸支し、白米シャッタ弁４１の左右両側を左右囲い板４２，４２で覆っている。白米シャッタ弁４１を、上部にシャッタ軸が通る左右板体４１ａ，４１ａと、左右板体４１ａ，４１ａの下端部に取り付けている円弧状閉鎖板体４１ｂとで構成し、円弧状閉鎖板体４１ｂが白米取出タンク７の左右開口幅よりも広くしている。また、円弧状閉鎖板体４１ｂの左右両側に左右囲い板４２，４２を設け、左右囲い板４２，４２の上下両端部を内側に屈折する上下屈折部４２ａ，…で囲い込んでいる。
【００４５】
前記構成によると、左右板体４１ａ，４１ａよりも円弧状閉鎖板体４１ｂを幅広に構成したので、左右板体４１ａ，４１ａの左右外側から円弧状閉鎖板体４１ｂを溶接して固着することができ、開閉時に溶接の肉盛り部分が白米取出タンク７に干渉せず安定して開閉できる。また、白米シャッタ弁４１と左右囲い板４２，４２の間隙が小さくなり、手の入る怖れもなく安全である。
【００４６】
次に、精米機１５の白度調整構成について説明する。
起動から初期精米開始までの間に白度設定の可能な精米機１５を備えた自動精米設備において、どの精米白度を選択しても、精米作業の終了後に所定の白度位置［例えば、白度の弱側から強側に所定時間（例えば８．７秒）移動させた中間白度位置］で圧迫板２３を待機させるようにする。そして、精米機１５が起動されると、前記待機位置から指定白度位置へ圧迫板２３を移動させるように構成している。
【００４７】
白度調節モータで圧迫板２３を強調節側と弱調節側に調節した状態では、圧迫板２３のスプリングが伸縮する。そして、所定時間運転すると、圧迫板２３の移動調節距離が少し変化する。白度ボタンの押し換えを何度も実施すると、初期精米の白度位置がずれてしまう不具合が発生する。
【００４８】
しかし、前記構成によると、精米機１５の精米作業が終了後は圧迫板２３を白度中間位置に戻し、次回精米の初期精米段階まで圧迫板２３が中間白度位置で待機しているので、圧迫板２３のスプリングを所定の伸縮状態に保持し、圧迫板２３の白度ずれを少なくすることができる。
【００４９】
次に、精米機１５の白度調整構成について具体的に説明する。
指定白度の上げ下げ調節を白度ボタンと白度強弱調節スナップスイッチの操作で行なうようにしている。無洗米ボタン８ｆ、標準ボタン８ｄ、８分ボタン８ｅ、上白ボタン８ｃを押して白度調節範囲を設定し、圧迫板２３が指定白度の上限調節状態あるいは下限調節状態にある場合には、前記白度強弱調節スナップスイッチを強側あるいは弱側に操作しても、コントローラの指令により、当該選択白度外への白度調節を停止するようにしている。
【００５０】
また、例えば、上白ボタン８ｃの白度を上げ調節する場合には、上白ボタン８ｃをＯＮして白度調整範囲を上白範囲に設定し、次いで、白度強弱スナップスイッチを強側に操作すると、操作回数に応じて強側に１段階ずつ調整される。また、白度強弱スナップスイッチを弱側に操作すると、同様に弱側に段階的に調整される。また、白度ボタンを押して白度調整範囲を指定すると、操作板６の表示画面に現在の白度の強弱調節段階が表示され、白度強弱スナップスイッチで強弱の調整をすると、変更調整状態が順次表示される構成である。
【００５１】
白度調節モータは回転数が非常に速いため調整作業が難しいが、前記構成によると、白度調整を段階的に容易正確に行なうことができる。
次に、図１８について説明する。操作盤８のコインメック１６の側方にはパイロットランプ４４を設け、操作室２への利用者の入室を検出すると、パイロットランプ４４を所定時間点滅させ、自動精米設備が玄米を受入れ可能な場合には、パイロットランプ４４を点灯させ、受入れ禁止状態の場合には、消灯させる構成である。前記構成によると、利用者はパイロットランプ４４の点滅により、最初の操作部位を知ることができ、利用操作を円滑にすることができる。
【符号の説明】
【００５２】
１    建屋
２    操作室
３    機械室
５    原料投入ホッパ
８    操作盤
７    白米取出タンク
１４    玄米タンク
１５    精米機
２１    表示画面
【図１】
2011072960.tif 000003
【図２】
2011072960.tif 000004
【図３】
2011072960.tif 000005
【図４】
2011072960.tif 000006
【図５】
2011072960.tif 000007
【図６】
2011072960.tif 000008
【図７】
2011072960.tif 000009
【図８】
2011072960.tif 000010
【図９】
2011072960.tif 000011
【図１０】
2011072960.tif 000012
【図１１】
2011072960.tif 000013
【図１２】
2011072960.tif 000014
【図１３】
2011072960.tif 000015
【図１４】
2011072960.tif 000016
【図１５】
2011072960.tif 000017
【図１６】
2011072960.tif 000018
【図１７】
2011072960.tif 000019
【図１８】
2011072960.tif 000020